【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
ターゲットされたメッセージを配信するコンピュータにより実行される方法であって、
コンピュータによって、ユーザ対話式装置からユーザ識別データを受信するステップであって、該ユーザ識別データはユーザを識別する、該受信するステップと、
前記コンピュータによって、前記ユーザ識別データに基づいてユーザ情報を取得するステップと、
前記コンピュータによって、前記ユーザ情報から匿名基準を抽出するステップであって、該匿名基準は前記ユーザを識別するために使用できず、および該匿名基準は前記ユーザの出生年、性別、社会階級および教育レベルを含む、該抽出するステップと、
前記コンピュータによって、前記匿名基準からのベストマッチング基準を用いてメッセージデータベース内のメッセージをランク付けして、ランク付けされたメッセージのリストを作成するステップであって、該メッセージは、全世界的メッセージ、国内的メッセージ、地域的メッセージ、および地方的メッセージに分類される、該作成するステップと、
前記コンピュータによって、前記ランク付けされたメッセージのリストからターゲットされたメッセージを選択するステップであって、各等しくランク付けされたメッセージは選択される平等な機会が提供される、該選択するステップと、
前記コンピュータによって、前記ターゲットされたメッセージを前記ユーザ対話式装置に送信するステップと
を具えたことを特徴とする方法。
【請求項２】
前記匿名基準は、ユーザの年齢、ユーザの出生月日、ユーザの所得収入、ユーザの平均所得、ユーザ対話式装置の現在位置、又はユーザの婚姻状態の少なくとも１つを含むことを特徴とする請求項１記載の方法。
【請求項３】
前記匿名基準を抽出するとき、ユーザの機密的、個人的、識別的又は主格的な情報は、使用されないことを特徴とする請求項１記載の方法。
【請求項４】
前記全世界的メッセージは地理的位置によって限定されず、前記国内的メッセージは国に限定され、前記地域的メッセージは国内の一地域に限定され、および前記地方的メッセージは郵便番号内の地理的領域内に限定されることを特徴とする請求項１記載の方法。
【請求項５】
マーチャントカテゴリコード又は在庫管理単位コードの１つを含む購買情報を受信するステップをさらに具えたことを特徴とする請求項１記載の方法。
【請求項６】
前記ランク付けされたメッセージのリストを前記購入情報に基づいてランク付けするステップをさらに具えたことを特徴とする請求項５記載の方法。
【請求項７】
前記ユーザ対話式装置の現在位置は、郵便番号、固有識別子、全世界測位衛星（ＧＰＳ）情報、地理位置測定技術の少なくとも１つに基づいて決定されることを特徴とする請求項２記載の方法。
【請求項８】
前記ランク付けは、前記匿名基準内のフィールドに重みを割り当てることに基づいて計算されることを特徴とする請求項１記載の方法。
【請求項９】
前記選択されたターゲットされたメッセージの送信を記録するステップをさらに具えたことを特徴とする請求項１記載の方法。
【請求項１０】
２以上のメッセージが前記ランク付けされたメッセージのリストの中で最高位にランクされているかを判断するステップをさらに具え、
２以上のメッセージが前記ランク付けされたメッセージのリストの中で最高位にランクされる場合、前記ランク付けされたリストの中で最高位にランクされ２以上のメッセージの１つから前記ターゲットされたメッセージを無作為に選択することを特徴とする請求項１記載の方法。
【請求項１１】
前記ユーザ対話式装置は、パーキングメーター、交通機関の券売機、電話、インターネット端末、現金自動預け払い機、電子決済端末、キャッシュディスペンサー、アクセス制御システム、支払処理システム、タブレットＰＣ、コンピュータ、モバイル装置、又は携帯電話の１つを含むことを特徴とする請求項１記載の方法。
【請求項１２】
前記ユーザ識別データは、個人の身元を識別又は追跡するために使用できる情報を含み、および、ユーザ名、個人識別番号（ＰＩＮ）、金融カードからのデータ、指紋、網膜スキャン、社会保障番号、キーフォブ、セキュリティトークン、ソフトウェアトークン、又はキーの少なくとも１つを含むことを特徴とする請求項１記載の方法。
【請求項１３】
処理論理回路によって実行可能なコンピュータ実行可能命令を格納する１以上の有形非一時的なコンピュータ可読記憶媒体であって、
当該媒体が、
ユーザ対話式装置からユーザ識別データを受信することであって、該ユーザ識別データはユーザの身元を識別又は追跡するために使用できる情報を含む、該受信することと、
前記ユーザ識別情報に基づいてユーザ情報を取得することと、
前記ユーザ情報をフィルタリングすることによって匿名基準を作成することであって、該匿名基準は前記ユーザの身元を識別又は追跡するために使用することができず、および該匿名基準は前記ユーザの出生年、性別、社会階級および教育レベルを含む、該作成することと、
前記匿名基準からのベストマッチング基準を用いてメッセージデータベース内のメッセージをランク付けして、ランク付けされたメッセージのリストを作成することであって、該メッセージは、全世界的メッセージ、国内的メッセージ、地域的メッセージ、および地方的メッセージに分類される、該作成することと、
前記ランク付けされたメッセージのリストからターゲットされたメッセージを選択することであって、各等しくランク付けされたメッセージは選択される平等な機会が提供される、該選択することと、
前記ターゲットされたメッセージを前記ユーザ対話式装置に送信することと、
のための１以上の命令を格納することを特徴とするコンピュータ可読記憶媒体。
【請求項１４】
ターゲットされたメッセージを配信するためのコンピュータにより実行されるシステムであって、
ユーザに関連するデータを格納するためのユーザデータ記憶装置と、
プロセッサ実行可能命令を格納するメモリを有するプロセッサと、
前記ユーザデータ記憶装置からユーザ情報を取得するアカウント管理装置であって、該ユーザ情報は前記ユーザの身元を識別又は追跡するために使用できる情報を含む、該アカウント管理装置と、
前記プロセッサ上で実行される匿名フィルタであって、該匿名フィルタは前記アカウント管理装置と通信しおよび前記ユーザデータ記憶装置から取得した前記ユーザ情報をフィルタリングして匿名基準を抽出し、該匿名基準は前記ユーザの身元を識別又は追跡するために使用することができず、および該匿名基準は前記ユーザの出生年、性別、社会階級および教育レベルを含む、該匿名フィルタと、
前記ユーザへの伝送のためのメッセージを格納するためのメッセージ記憶装置であって、該メッセージは、全世界的メッセージ、国内的メッセージ、地域的メッセージ、および地方的メッセージに分類される、該メッセージ記憶装置と、
前記匿名フィルタから前記匿名基準を受信し、前記メッセージ記憶装置において前記メッセージをランク付けし、および前記メッセージ記憶装置において前記ランク付けされたメッセージからターゲットされたメッセージを取得する匿名メッセージ装置であって、各等しくランク付けされたメッセージは取得される平等な機会が提供される、該匿名メッセージ装置と、
前記ターゲットされたメッセージを前記ユーザへ提示するためのユーザ対話式装置であって、前記匿名メッセージ装置から前記ターゲットされたメッセージを受信する、該ユーザ対話式装置と
を具えたことを特徴とするシステム。
【請求項１５】
前記匿名基準は、ユーザの年齢、ユーザの出生月日、ユーザの所得収入、ユーザの平均所得、ユーザ対話式装置の位置、ユーザの郵便番号、又はユーザの婚姻状態の少なくとも１つを含むことを特徴とする請求項１４記載のシステム。
【請求項１６】
前記匿名フィルタは、前記匿名基準を抽出するとき、ユーザの機密的、個人的、識別的又は主格的な情報を除去することを特徴とする請求項１４記載のシステム。
【請求項１７】
前記全世界的メッセージは地理的位置によって限定されず、前記国内的メッセージは国に限定され、前記地域的メッセージは国内の一地域に限定され、又は前記地方的メッセージは郵便番号内の地理的領域内に限定されることを特徴とする請求項１４記載のシステム。
【請求項１８】
２以上のメッセージが前記ランク付けされたメッセージのリストの中で最高位にランクされているかを判断するステップをさらに具え、
２以上のメッセージが前記ランク付けされたメッセージのリストの中で最高位にランクされる場合、前記ランク付けされたリストの中で最高位にランクされ２以上のメッセージの１つから前記ターゲットされたメッセージを無作為に選択することを特徴とする請求項１４記載のシステム。
【請求項１９】
ターゲットされたメッセージを配信するためのコンピュータにより実行される方法であって、
コンピュータによって、ユーザ識別情報を受信するステップと、
前記コンピュータによって、前記ユーザ識別情報に基づいてユーザ情報を取得するステップであって、前記ユーザ情報はユーザの身元を識別又は追跡するために使用できる情報を含む、該取得するステップと、
前記ユーザ情報に基づいて基準を作成するステップであって、該基準は前記ユーザの身元を識別又は追跡することができず、および該基準は前記ユーザの出生年、性別、社会階級および教育レベルを含む、該作成するステップと、
前記コンピュータによって、前記基準に基づきメッセージデータベースにおける複数のメッセージからターゲットされたメッセージを選択するステップであって、前記複数のメッセージは前記ターゲットされたメッセージとして選択される平等の機会が提供され、該メッセージは、全世界的メッセージ、国内的メッセージ、地域的メッセージ、および地方的メッセージに分類される、該選択するステップと、
前記コンピュータから前記ターゲットされたメッセージを送信するステップと
を具えたことを特徴とする方法。